(57)【要約】【課題】電気負荷の高電位側の端子と接地とのショートに適切に対処する。【解決手段】電磁ソレノイド４０の高電位側の端子には、抵抗８０、ハイサイドスイッチ３６を介してバッテリ３０が接続され、低電位側の端子には、ローサイドスイッチ４２を介して抵抗４６，４８が接続されている。抵抗４６，４８間のノードａの電圧は、制御回路５０に取り込まれる。制御回路５０では、ノードａの電圧が過電圧ＢＶ以上となると、ハイサイドスイッチ３６及びローサイドスイッチ４２を強制的にオフとする。抵抗８０の両端には、バイポーラトランジスタ８２が接続されている。バイポーラトランジスタ８２のコレクタからの出力は、ノードａに供給される。このため、バッテリ３０及び電磁ソレノイド４０間に所定以上の電流が流れるとき、ハイサイドスイッチ３６が強制的にオフされる。【選択図】      図２
2006333278.tif 000002
【特許請求の範囲】
【請求項１】
車載電気負荷の高電位側に、該電気負荷と電源との導通及び遮断を切り替えるハイサイドスイッチを備える車載電気負荷の駆動装置において、
前記電気負荷の高電位側の端子と前記電源との間に流れる電流を検出してその検出結果を出力する高電位側検出回路と、
前記高電位側検出回路により検出される電流が所定以上となるとき、前記ハイサイドスイッチを強制的にオフとするフェールセーフ手段とを備えることを特徴とする車載電気負荷の駆動装置。
【請求項２】
前記高電位側検出回路は、前記電気負荷の高電位側の端子と前記電源との間に入力端子及び導通制御端子の接続されるトランジスタを備えて構成されることを特徴とする請求項１記載の車載電気負荷の駆動装置。
【請求項３】
前記電気負荷の低電位側の端子と接地との間に流れる電流を検出する低電位側検出回路と、
該低電位側検出回路によって検出される電流が予め定められた閾値以上となると前記ハイサイドスイッチを強制的にオフとする強制手段とを更に備え、
前記フェールセーフ手段は、前記強制手段を備えて且つ、前記低電位側検出回路と前記強制手段との間に前記トランジスタの出力端子が接続されてなることを特徴とする請求項２記載の車載電気負荷の駆動装置。
【請求項４】
前記低電位側検出回路は、直列接続された２つの抵抗体を備えて構成されるとともに、該２つの抵抗体間の電圧値を、前記電気負荷の低電位側の端子と接地との間に流れる電流の検出結果として前記強制手段に出力するものであり、
前記強制手段は、前記低電位側検出回路から出力される電圧値が前記閾値と対応する所定の電圧値以上となるときに前記ハイサイドスイッチを強制的にオフとするものであり、
前記フェールセーフ手段は、前記トランジスタの出力端子が前記２つの抵抗体間に接続されてなることを特徴とする請求項３記載の車載電気負荷の駆動装置。
【請求項５】
前記電気負荷の低電位側の端子及び接地間を接続するローサイドスイッチを更に備え、
前記強制手段は、前記低電位側検出回路によって検出される電流が前記閾値以上となるとき、前記ローサイドスイッチを更にオフとすることを特徴とする請求項３又は４記載の車載電気負荷の駆動装置。
【請求項６】
前記高電位側検出回路の前記トランジスタがバイポーラトランジスタであることを特徴とする請求項２〜４のいずれかに記載の車載電気負荷の駆動装置。
【請求項７】
前記ハイサイドスイッチは、電界効果トランジスタからなることを特徴とする請求項１〜６のいずれかに記載の車載電気負荷の駆動装置。
【請求項８】
前記電気負荷が、燃料を昇圧して車載内燃機関の燃料噴射弁に高圧状態で供給する高圧燃料ポンプの電磁ソレノイドであることを特徴とする請求項１〜７のいずれかに記載の車載電気負荷の駆動装置。
【発明の詳細な説明】
【技術分野】
【０００１】
本発明は、車載電気負荷の高電位側に、該電気負荷と電源との導通及び遮断を切り替えるハイサイドスイッチを備える車載電気負荷の駆動装置に関する。
【背景技術】
【０００２】
図６にこの種の駆動装置の一例を示す。この駆動装置は、インジェクタを駆動する回路と、燃料ポンプを駆動する回路とからなる。ここでは、まずインジェクタを駆動する回路について説明する。
【０００３】
図示されるように、この回路は、バッテリＢの電圧（例えば「１２Ｖ」）を所定電圧（例えば「８５Ｖ」）に昇圧する昇圧回路１００を備えている。この昇圧回路１００は、コイル１０２とスイッチング素子１０４との直列接続体を備えて構成されており、スイッチング素子１０４がインジェクタ駆動用ＩＣ１０６によりオン・オフ操作されることで、バッテリＢの電圧を昇圧する。この昇圧回路１００のコイル１０２とスイッチング素子１０４との間には、ダイオード１０８のアノードが接続されている。
【０００４】
ダイオード１０８のカソード側は、駆動開始スイッチ１１０を介してインジェクタの電磁ソレノイド１１２と接続されている。電磁ソレノイド１１２は、その一方の端子が駆動開始スイッチ１１０を介して昇圧回路１００と接続されるとともに、他方の端子が選択スイッチ１１４を介して接地されている。
【０００５】
上記ダイオード１０８と駆動開始スイッチ１１０との間には、昇圧回路１００の昇圧電力を蓄えるコンデンサ１１６が、その他方の端子が接地される態様にて接続されている。
【０００６】
上記駆動開始スイッチ１１０により、電磁ソレノイド１１２とコンデンサ１１６とが導通及び遮断される。このため、駆動開始スイッチ１１０の少なくとも１つがオンとされることで対応する電磁ソレノイド１１２の端子と昇圧回路１００とが導通された状態で、選択スイッチ１１４を選択的にオンとすることで、コンデンサ１１６の昇圧電力を用いて、該当する電磁ソレノイド１１２を通電することができる。
【０００７】
上記駆動開始スイッチ１１０と電磁ソレノイド１１２との間には、コンデンサ１１６により開始される電磁ソレノイド１１２の通電を継続すべく、電流回路１２０が接続されている。この電流回路１２０は、バッテリＢの電力を出力するダイオード１２２、ダイオード１２２とバッテリＢ間を導通及び遮断するスイッチング素子１２４、及び、接地から流出する方向を順方向とするダイオード１２６を備えて構成されている。
【０００８】
次に、燃料ポンプ駆動用の回路について説明する。
【０００９】
燃料ポンプ内の弁体（電磁弁）を駆動する電磁ソレノイド１４０の高電位側の端子は、バイポーラトランジスタからなるハイサイドスイッチ１３６を介してバッテリＢと接続されている。また、高電位側の端子及びハイサイドスイッチ１３６間と接地との間には、ダイオード１４５が接続されている。一方、電磁ソレノイド１４０の低電位側の端子と接地との間には、この間の導通及び遮断を切り替えるローサイドスイッチ１４２（ＭＯＳ（Metal Oxide Semiconductor）トランジスタ）が接続されている。
【００１０】
ポンプ駆動用ＩＣ１５０は、外部から入力される駆動信号と、ローサイドスイッチ１４２及び接地間の電位とに基づき、上記ハイサイドスイッチ１３６及びローサイドスイッチ１４２のオン・オフ操作を行なう。すなわち、ローサイドスイッチ１４２をオンとした状態で、ハイサイドスイッチ１３６のオン・オフ操作によるチョッパ制御により、電磁ソレノイド１４０に流れる電流を所望の電流量に制御する。
【００１１】
ところで、上記インジェクタの電磁ソレノイド１１２や燃料ポンプの電磁ソレノイド１４０の高電位側の端子と接地とがショートする場合には、駆動開始スイッチ１１０やハイサイドスイッチ１３６に大電流が流れるおそれがある。そして、このように大電流が流れると、駆動開始スイッチ１１０やハイサイドスイッチ１３６が破損するおそれがある。
【００１２】
そこで従来は、例えば下記特許文献１に見られるように、電磁ソレノイド１１２が接地とショートしたときに流れる電流をコンデンサ１１６から放電される電流量の増大として検出する装置も提案されている。この装置によれば、コンデンサ１１６から放電される電流量が所定以上となったときに、上記駆動開始スイッチ１１０やスイッチング素子１２４をオフとすることで、駆動開始スイッチ１１０やスイッチング素子１２４の破損を回避することができる。
【００１３】
一方、上述したように、燃料ポンプの電磁ソレノイド１４０の高電位側の端子と接地とがショートする場合には、ハイサイドスイッチ１３６に大電流が流れるおそれがある。しかし、この電磁ソレノイド１４０は、バッテリＢにて直接的に駆動されるものであるため、バッテリＢの電圧の昇圧された電力を蓄えるコンデンサを用いない。このため、上記インジェクタの電磁ソレノイド１１２の高電位側の端子が接地とショートしたときと同様のフェールセーフ処理を行なうことはできない。
【００１４】
なお、上記燃料ポンプの駆動装置に限らず、車載電気負荷の高電位側に、該電気負荷と電源との導通及び遮断を切り替えるハイサイドスイッチを備える車載電気負荷の駆動装置にあっては、電気負荷の高電位側の端子と接地とのショートに対処することが望まれるこうした実情も概ね共通したものとなっている。
【特許文献１】特開２００２−１８０８７８号公報
【発明の開示】
【発明が解決しようとする課題】
【００１５】
本発明は、上記課題を解決するためになされたものであり、その目的は、車載電気負荷の高電位側に、該電気負荷と電源との導通及び遮断を切り替えるハイサイドスイッチを備える場合であれ、電気負荷の高電位側の端子と接地とのショートに適切に対処することのできる車載電気負荷の駆動装置を提供することにある。
【課題を解決するための手段】
【００１６】
以下、上記課題を解決するための手段、及びその作用効果について記載する。
【００１７】
手段１は、車載電気負荷の高電位側に、該電気負荷と電源との導通及び遮断を切り替えるハイサイドスイッチを備える車載電気負荷の駆動装置において、前記電気負荷の高電位側の端子と前記電源との間に流れる電流を検出してその検出結果を出力する高電位側検出回路と、前記高電位側検出回路により検出される電流が所定以上となるとき、前記ハイサイドスイッチを強制的にオフとするフェールセーフ手段とを備えることを特徴とする。
【００１８】
上記構成において、電気負荷の高電位側の端子が接地とショートすると、電気負荷の高電位側の端子と電源との間に流れる電流が過度に大きくなるおそれがある。しかし、この際、電気負荷の高電位側の端子と電源との間に流れる電流が検出回路によって検出され、検出される電流が所定以上となるときにハイサイドスイッチが強制的にオフとされる。このため、電気負荷の高電位側の端子と電源との間に流れる電流が過度に大きくなることによるハイサイドスイッチ等の破損を回避することができる。したがって、上記構成によれば、車載電気負荷の高電位側に、該電気負荷と電源との導通及び遮断を切り替えるハイサイドスイッチを備える場合であれ、電気負荷の高電位側の端子と接地とのショートに適切に対処することができる。
【００１９】
手段２は、手段１において、前記高電位側検出回路は、前記電気負荷の高電位側の端子と前記電源との間に入力端子及び導通制御端子の接続されるトランジスタを備えて構成されることを特徴とする。
【００２０】
上記構成では、トランジスタの導通制御端子と入力端子とが電気負荷の高電位側の端子と電源との間に接続されている。トランジスタは、通常、導通制御端子及び入力端子間の電位差がトランジスタをオンさせる閾値電圧以上となることで、入力端子及び出力端子間に流れる電流量が大きく変化する。このため、上記構成では、電気負荷の高電位側の端子と電源との間に正常に電流が流れているときには、トランジスタの入力端子及び出力端子間の電流量を極力低減する構成とすることができる。すなわち、同正常に電流が流れているときの入力端子及び導通制御端子間の電位差が、トランジスタの上記閾値電圧未満となるように設定することで、同正常に電流が流れているときにはトランジスタをオフとする構成とすることができる。
【００２１】
更に、上記構成では、トランジスタの出力端子から出力される電流量の増大を通じて、電気負荷の高電位側の端子と電源との間に流れる電流量の増大を検出することができる。すなわち、例えば、電気負荷の高電位側の端子と電源との間に流れる電流量が所定以上となったときの入力端子及び導通制御端子間の電位差と、トランジスタの上記閾値電圧とを対応付けることで、電気負荷の高電位側の端子と電源との間に流れる電流量が所定以上となることを検出することができる。
【００２２】
手段３は、手段２において、前記電気負荷の低電位側の端子と接地との間に流れる電流を検出する低電位側検出回路と、該低電位側検出回路によって検出される電流が予め定められた閾値以上となると前記ハイサイドスイッチを強制的にオフとする強制手段とを更に備え、前記フェールセーフ手段は、前記強制手段を備えて且つ、前記低電位側検出回路と前記強制手段との間に前記トランジスタの出力端子が接続されてなることを特徴とする。
【００２３】
上記構成では、低電位側検出回路によって検出される電流量が閾値以上となると強制手段によりハイサイドスイッチが強制的にオフとされる。そして、この強制手段と低電位検出回路との間にトランジスタの出力端子が接続されることで、この強制手段を用いてフェールセーフ手段を構成することができる。すなわち、トランジスタの出力端子の出力により低電位側検出回路と強制手段との間の電気的な状態が変化する。このため、高電位側検出回路の検出結果に基づき強制手段によりハイサイドスイッチをオフとすることができる。
【００２４】
手段４は、手段３において、前記低電位側検出回路は、直列接続された２つの抵抗体を備えて構成されるとともに、該２つの抵抗体間の電圧値を、前記電気負荷の低電位側の端子と接地との間に流れる電流の検出結果として前記強制手段に出力するものであり、前記強制手段は、前記低電位側検出回路から出力される電圧値が前記閾値と対応する所定の電圧値以上となるときに前記ハイサイドスイッチを強制的にオフとするものであり、前記フェールセーフ手段は、前記トランジスタの出力端子が前記２つの抵抗体間に接続されてなることを特徴とする。
【００２５】
上記構成では、低電位側検出回路によって所定以上の電流が検出されるときに上記２つの抵抗体間の電圧値が、上記所定の電圧値以上となる。このため、強制手段は、低電位側検出回路からの電圧信号と所定の電圧値との比較によって、電気負荷及び接地間に流れる電流が閾値以上であるか否かを判断することができる。
【００２６】
また、電気負荷の高電位側の端子と電源との間に流れる電流量が所定以上となるときに、トランジスタの出力によって強制手段に取り込まれる電圧値を閾値以上とすることもできる。このため、強制手段を用いてフェールセーフ手段を構成することができる。特に、フェールセーフ手段をこうした構成とすることで、フェールセーフ手段を、電気負荷の高電位側の端子及び電源間の電圧降下の検出結果に基づきハイサイドスイッチを強制的にオフとする構成とする場合と比較して、その構成が簡易化される。すなわち、この場合、電気負荷の高電位側の端子及び電源間における２箇所の電圧値を検出し、その電圧降下の度合いに応じてフェールセーフ処理を行なうか否かを決定することとなるため、フェールセーフ手段の構成が複雑なものとなる。しかも、電気負荷の高電位側の端子及び電源間の電圧を直接取り込む手段の場合、電源と直接的に接続されることに起因して、電源側からのサージノイズ対策をする必要も生じる。特に当該駆動装置から電源が外されたときには、瞬間的に大きな電圧（例えば「１００Ｖ」程度）が駆動装置に印加されることがあるため、こうした大きな電圧に対する耐性を備える構成とすることも要求されることとなる。
【００２７】
なお、手段４は、前記高電位側検出回路は、そのトランジスタの入力端子及び前記導通制御端子間に設けられた第１の抵抗と、前記２つの抵抗体の接続箇所と前記高電位側検出回路の出力端子との間に設けられた第２の抵抗とを備えて且つ、前記電気負荷の高電位側の端子と前記電源との間に流れる電流が所定以上となるときに前記２つの抵抗体間の電圧値が前記所定の電圧値以上となるように前記第１の抵抗及び前記第２の抵抗の抵抗値が調整されてなるようにしてもよい。
【００２８】
手段５は、手段３又は４において、前記電気負荷の低電位側の端子及び接地間を接続するローサイドスイッチを更に備え、前記強制手段は、前記低電位側検出回路によって検出される電流が前記閾値以上となるとき、前記ローサイドスイッチを更にオフとすることを特徴とする。
【００２９】
上記構成において、電気負荷の高電位側の端子及び電源間を流れる電流が所定以上となると、強制手段では、ハイサイドスイッチのみならず、ローサイドスイッチをもオフとする。このため、電気負荷の高電位側の端子及び電源間を流れる電流が所定以上となるときに、電気負荷の電流の流れをより確実に遮断することができる。
【００３０】
更に、上記構成では、電気負荷の低電位側の端子と電源側とがショートするときにも、これに適切に対処することができる。すなわち、電気負荷の低電位側の端子と電源側とがショートすると、同低電位側の端子及び接地間に大きな電流が流れる。そして、この電流が低電位側検出回路によって検出され、強制手段によってローサイドスイッチが強制的にオフとされる。これにより、電気負荷の低電位側の端子と電源側とがショートした場合であれ、過度の電流が流れることを回避することができる。
【００３１】
このように、上記構成によれば、電気負荷の高電位側の端子と接地とがショートする場合と、電気負荷の低電位側の端子と電源側とがショートする場合との双方に、単一の強制手段により対処することができる。
【００３２】
手段６は、手段２〜４のいずれかにおいて、前記高電位側検出回路の前記トランジスタがバイポーラトランジスタであることを特徴とする。
【００３３】
上記構成では、高電位側検出回路のトランジスタとしてバイポーラトランジスタが用いられる。バイポーラトランジスタは、上記トランジスタをオンさせる閾値電圧が、ＭＯＳトランジスタ等と比較して大きな値としやすい。このため、電気負荷と電源との間に正常な電流が流れているときには、トランジスタをオンさせず、上記所定以上の電流が流れているときにトランジスタをオンさせる設定が容易となる。
【００３４】
なお、バイポーラトランジスタにおいて、導通制御端子とはベース端子のことをいう。また、上記トランジスタをオンさせる閾値電圧とは、入力端子及び出力端子間（エミッタ及びコレクタ間）に流れる電流が、入力端子及び導通制御端子間の電圧変化に対して急激に増加するときの入力端子及び導通制御端子間の電圧とする。
【００３５】
手段７は、手段１〜６のいずれかにおいて、前記ハイサイドスイッチは、電界効果トランジスタからなることを特徴とする。
【００３６】
上記構成では、ハイサイドスイッチが電界効果トランジスタからなるために、バイポーラトランジスタを用いた場合等と比較して、ハイサイドスイッチの入出力間の電圧降下を低く抑えることができる。このため、電気負荷に供給される電流の立ち上がり速度を大きくすることができ、電気負荷の駆動に際し、その応答性を高く維持することができる。
【００３７】
ただし、ハイサイドスイッチとして電界効果トランジスタを用いた場合、電気負荷の高電位側の端子と接地とがショートすると、ハイサイドスイッチを流れる電流も、同スイッチをバイポーラトランジスタとした場合等と比較して大きくなる。このため、ショートが生じたときには、ハイサイドスイッチが損傷しやすい。このため、上記構成は上記手段１〜６の作用効果を顕著に奏することができる構成ともなっている。
【００３８】
なお、手段１〜７のいずれかにおいては、手段８によるように、前記電気負荷が、燃料を昇圧して車載内燃機関の燃料噴射弁に高圧状態で供給する高圧燃料ポンプの電磁ソレノイドであるようにしてもよい。
【発明を実施するための最良の形態】
【００３９】
以下、本発明にかかる電気負荷の駆動装置を、高圧燃料ポンプの駆動装置に適用した一実施形態を図面を参照しつつ説明する。
【００４０】
図１に、上記高圧燃料ポンプを搭載する内燃機関（筒内噴射式ガソリンエンジン）を含むエンジンシステムの全体構成を示す。
【００４１】
図示されるように、燃料タンク２から低圧燃料ポンプ４によって汲み上げられる燃料は、燃料フィルタ６、プレッシャレギュレータ８を介して高圧燃料ポンプ１０に供給される。高圧燃料ポンプ１０によって昇圧された高圧状態の燃料は、燃料噴射弁（インジェクタ１２）に供給される。この高圧燃料ポンプ１０は、内燃機関１４から動力を付与される（ここでは、吸気系のカム軸から動力が付与される例を示す）機関駆動式のポンプである。
【００４２】
電子制御装置（ＥＣＵ２０）は、中央処理装置やメモリを備えて構成され、内燃機関１４の出力を制御するものである。詳しくは、内燃機関１４の出力を制御すべく、駆動装置２２を介して高圧燃料ポンプ１０やインジェクタ１２への通電制御を行う。
【００４３】
ここで、上記駆動装置２２のうち、特に高圧燃料ポンプ１０に対する通電制御を行う回路部分について詳述する。
【００４４】
図２に、上記回路の構成を示す。
【００４５】
図示されるように、バッテリ３０からの電力は、電源端子Ｔ１を介して駆動装置２２に供給される。電源端子Ｔ１を介して供給されるバッテリ３０の電力は、コイル３２及びコンデンサ３４からなるフィルタを介してＰチャネルＭＯＳトランジスタからなるハイサイドスイッチ３６のソース端子に供給される。ハイサイドスイッチ３６のドレイン端子から出力される電流は、ハイサイド端子Ｔ２を介して、高圧燃料ポンプ１０内の弁体（電磁弁）を開閉する電磁ソレノイド４０の高電位側の端子に供給される。電磁ソレノイド４０の低電位側の端子は、ローサイド端子Ｔ３と接続されている。そして、ローサイド端子Ｔ３は、ＮチャネルＭＯＳトランジスタからなるローサイドスイッチ４２のソース及びドレインと、抵抗４４とを介して接地されている。ちなみに、駆動装置２２は、電磁ソレノイド４０及びローサイドスイッチ４２と並列に接続されたダイオード４５を備えている。
【００４６】
上記抵抗４４と並列に抵抗４６，４８の直列接続体が接続されている。そして、これら抵抗４６及び抵抗４８の接続点（ノードａ）における電圧値が、電磁ソレノイド４０の低電位側の端子（又はローサイド端子Ｔ３）と接地との間に流れる電流の検出結果として、制御回路５０の入力端子ＴＣ１に出力される。
【００４７】
入力端子ＴＣ１から制御回路５０に取り込まれる検出結果は、定電流用比較器５２と過電流用比較器５４とに取り込まれる。定電流用比較器５２のマイナス入力端子には、電磁ソレノイド４０に定電流を流す際に所望される電流量に対応した基準電圧ＡＶが印加されており、プラス入力端子には、上記検出結果が取り込まれる。一方、過電流用比較器５４のマイナス入力端子には、電磁ソレノイド４０に流れる電流として許容される上限値に対応した過電圧ＢＶが印加されており、プラス入力端子には、上記検出結果が取り込まれる。
【００４８】
過電流用比較器５４の出力は、ＲＳフリップフロップ５６のセット端子に取り込まれる。ＲＳフリップフロップ５６のリセット端子には、先の図１に示したＥＣＵ２０から出力される駆動信号の反転信号が取り込まれる。すなわち、駆動信号が駆動装置２２の入力端子Ｔ４と、制御回路５０の入力端子ＴＣ２を介して制御回路５０内のインバータ５８に取り込まれ、論理反転されてＲＳフリップフロップ５６のリセット端子に取り込まれる。
【００４９】
ＲＳフリップフロップ５６の出力がインバータ６０により論理反転された信号と、駆動信号とはＡＮＤ回路６２に取り込まれる。ＡＮＤ回路６２の出力は、出力端子ＴＣ３、抵抗６４を介してローサイドスイッチ４２のゲート（導通制御端子）に印加される。
【００５０】
定電流用比較器５２の出力がインバータ６６により反転された信号と、ＲＳフリップフロップ５６の出力がインバータ６８により反転された信号と駆動信号とはＡＮＤ回路７０に取り込まれる。ＡＮＤ回路７０の出力は、エミッタが接地されたバイポーラトランジスタ７２のベースに印加される。また、バイポーラトランジスタ７２のコレクタは、出力端子ＴＣ４と接続されている。出力端子ＴＣ４は、コイル３２及びハイサイドスイッチ３６のゲート（導通制御端子）間に直列接続された抵抗７４及び抵抗７６の接続点と接続されている。
【００５１】
上記構成によれば、駆動信号が論理「Ｈ」である間、電磁ソレノイド４０に定電流を流すことができるとともに、ローサイド端子Ｔ３及び接地間に流れる電流量が過度に大きくなるときには、ハイサイドスイッチ３６及びローサイドスイッチ４２を強制的にオフとすることができる。以下、これについて図３に基づき説明する。
【００５２】
図３に、電磁ソレノイド４０に定電流を流す制御の態様を示す。詳しくは、図３（ａ）に駆動信号の推移を、図３（ｂ）に定電流用比較器５２の出力の推移を、図３（ｃ）に過電流用比較器５４の出力の推移を、図３（ｄ）にＲＳフリップフロップ５６の出力の推移を、図３（ｅ）にハイサイドスイッチ３６のオン・オフの推移を、図３（ｆ）にローサイドスイッチ４２のオン・オフの推移を、図３（ｇ）に抵抗４８を流れる電流の推移をそれぞれ示す。
【００５３】
図示されるように、時刻ｔ１において駆動信号が論理「Ｈ」となるに伴い、ハイサイドスイッチ３６及びローサイドスイッチ４２がオンとされ、図４（ａ）に一点鎖線にて示すように、バッテリ３０、ハイサイドスイッチ３６のソース及びドレイン、電磁ソレノイド４０、ローサイドスイッチ４２のソース及びドレイン、及び接地間を電流が流れる。これにより、抵抗４８に流れる電流量（電磁ソレノイド４０を流れる電流量）が増大する。
【００５４】
そして、図３に示すように、上記電流が増大し、上記ノードａの電位が上記基準電圧ＡＶ以上となると（図中、電流量が目標電流値α以上となると）、定電流用比較器５２の出力が論理「Ｈ」に反転するため、ハイサイドスイッチ３６がオフとされる。これにより、図４（ｂ）に一点鎖線にて示すように、ダイオード４５、電磁ソレノイド４０、ローサイドスイッチ４２、及び接地間に電流が流れるため、抵抗４８に減少しつつも継続して電流が流れることとなる。
【００５５】
そして、抵抗４８を流れる電流量が目標電流値α未満となると、定電流用比較器５２の出力が再度論理「Ｌ」となるため、ハイサイドスイッチ３６がオンとされ、先の図４（ａ）に示した態様にて抵抗４８に電流が流れる。このようにハイサイドスイッチ３６のオン・オフに伴って増加減少しつつ抵抗４８に電流が流れる制御は、駆動信号が論理「Ｌ」となるまで行なわれる。すなわち、バッテリ３０、ハイサイドスイッチ３６、ダイオード４５、電磁ソレノイド４０、接地により、チョッパ回路が構成されており、駆動信号が論理「Ｈ」である間、ハイサイドスイッチ３６のオン・オフによりチョッパ制御が行われる。
【００５６】
上記態様にて、駆動信号が論理「Ｈ」とされる間、駆動装置２２により電磁ソレノイド４０の電流が所望の電流量（抵抗４８の電流量が目標電流値α）に制御されることとなる。
【００５７】
また、電磁ソレノイド４０の低電位側の端子がバッテリ３０とショートするなどして、電磁ソレノイド４０に過度に電流が流れるときには、過電流用比較器５４の出力が論理「Ｈ」となるのに伴い、ハイサイドスイッチ３６やローサイドスイッチ４２がオフとされるためにバッテリ３０から電磁ソレノイド４０への電流の流れが阻止される。詳しくは、抵抗４８の電流が過度に大きくなることでノードａの電位が上記過電圧ＢＶ以上となり、過電流用比較器５４の出力が論理「Ｈ」に反転し、ＲＳフリップフロップ５６の出力が論理「Ｈ」となる。これに伴い、ＡＮＤ回路６２，７０の出力が論理「Ｌ」となり、ハイサイドスイッチ３６及びローサイドスイッチ４２が強制的にオフとされる。
【００５８】
このように本実施形態では、電磁ソレノイド４０の低電位側の端子（ローサイド端子Ｔ３）及び接地間に流れる電流が過度に大きくなることに基づき、バッテリ３０から電磁ソレノイド４０への電流の流れを阻止するフェールセーフ処理を行なうことができる。
【００５９】
ただし、先の図２に２点鎖線にて示すように、電磁ソレノイド４０の高電位側の端子が接地とショートする場合等、バッテリ３０よりも低電位の部材とショートする場合には、電磁ソレノイド４０の低電位側の端子（ローサイド端子Ｔ３）及び接地間の電流を検出することによっては、このショートを検出することができない。このため、電磁ソレノイド４０の高電位側の端子がバッテリ３０よりも低電位の部材（より正確には、ハイサイドスイッチ３６のドレインの電位よりも低電位の部材）とショートする場合には、ハイサイドスイッチ３６のソース及びドレイン間に過電流が流れ、ハイサイドスイッチ３６が破損するおそれがある。ちなみに、ハイサイドスイッチ３６の高電位側の端子と接地とのショートとしては、例えば同高電位側のハーネスの被覆が破れ、接地と接触した場合などが想定される。
【００６０】
そこで本実施形態では、図２に示すように、電磁ソレノイド４０の高電位側の端子（ハイサイド端子Ｔ２）とバッテリ３０との間に流れる電流が所定以上となると、上記ノードａの電位が上記過電圧ＢＶ以上となるように、抵抗８０、バイポーラトランジスタ８２、及び抵抗８４を備える構成とした。ここで、抵抗８０は、ハイサイドスイッチ３６の高電位側の端子及びバッテリ３０間に直列に接続されている。そして、バイポーラトランジスタ８２のエミッタ及びベース間（入力端子及び導通制御端子間）に抵抗８０の両端子が接続されている。このため、抵抗８０の電圧降下がバイポーラトランジスタ８２をオンさせる閾値電圧以上となることで、エミッタ及びコレクタ間に流れる電流量が大きく変化する。そして、バイポーラトランジスタ８２のコレクタ（出力端子）からの出力は、抵抗８４を介してノードａに供給される。こうした構成によれば、抵抗８０及び抵抗８４の抵抗値を調整することで、電磁ソレノイド４０の高電位側の端子（ハイサイド端子Ｔ２）とバッテリ３０との間に流れる電流が所定以上となるときに、ノードａの電位が上記過電圧ＢＶ以上となるように調整することができる。ちなみに、抵抗８０の抵抗値は、ハイサイドスイッチ３６に正常に電流が流れているときには、抵抗８０による電圧降下がバイポーラトランジスタ８２をオンとする閾値電圧よりも小さくなるように設定することが望ましい。
【００６１】
ここで、電磁ソレノイド４０の高電位側の端子のショート時に駆動装置２２によって行なわれる処理について、図５を参照して更に説明する。
【００６２】
図５（ａ）は駆動信号の推移を、図５（ｂ）は定電流用比較器５２の出力の推移を、図５（ｃ）は過電流用比較器５４の出力の推移を、図５（ｄ）はＲＳフリップフロップ５６の出力の推移を、図５（ｅ）はハイサイドスイッチ３６のオン・オフの推移を、図５（ｆ）はローサイドスイッチ４２のオン・オフの推移を、図５（ｇ）はバイポーラトランジスタ８２のエミッタ及びコレクタ間の電流の推移を、図５（ｇ）は抵抗４８を流れる電流の推移をそれぞれ示す。
【００６３】
電磁ソレノイド４０の高電位側の端子とグランド等がショートすると、時刻ｔ１１に駆動信号が論理「Ｈ」に反転するのに伴いハイサイドスイッチ３６がオンされることで、バッテリ３０、ハイサイドスイッチ３６、及び電磁ソレノイド４０の高電位側の端子間に大きな電流が流れる。これにより、バイポーラトランジスタ８２がオンするため、そのエミッタ及びコレクタ間に大きな電流が流れ、抵抗４８に流れる電流も大きくなる。ただし、この電流量は、基準電圧ＡＶに対応する目標電流値αと、過電圧ＢＶに対応する過電流値βとを略同時に上回る（図中、時刻ｔ１２）。このため、過電流用比較器５４の出力と、ＲＳフリップフロップ５６の出力とが論理「Ｈ」に反転し、ＡＮＤ回路７０の出力が論理「Ｌ」に反転するに伴い、ハイサイドスイッチ３６及びローサイドスイッチ４２が強制的にオフとされる。これにより、バッテリ３０からハイサイドスイッチ３６を介して電磁ソレノイド４０の高電位側の端子へ電流が流れることを阻止することができる。
【００６４】
なお、ハイサイドスイッチ３６及びローサイドスイッチ４２が強制的にオフとされる状態は、駆動信号の論理「Ｌ」への反転に伴いＲＳフリップフロップ５６がリセットされる時刻ｔ１３以降であって且つ駆動信号が再度立ち上がるときまで継続される。
【００６５】
このように本実施形態によれば、バイポーラトランジスタ８２と抵抗８０と抵抗８４とを新たに追加するのみで、電磁ソレノイド４０の高電位側の端子が接地とショートしたときに、ハイサイドスイッチ３６及びローサイドスイッチ４２を強制的にオフとするフェールセーフ処理を行なうことができる。すなわち、もともと電磁ソレノイド４０の低電位側の端子とバッテリ３０とのショート等によって電磁ソレノイド４０に過電流が流れるときにハイサイドスイッチ３６及びローサイドスイッチ４２を強制的にオフとするための制御回路５０を用いて上記高電位側の端子と接地とのショートに対処することができる。
【００６６】
このため、例えば電磁ソレノイド４０の高電位側の端子（ハイサイド端子Ｔ２）及びバッテリ３０間の電圧降下を検出する回路と、該回路によって検出される電圧降下に基づきハイサイドスイッチ３６及びローサイドスイッチ４２を強制的にオフとする専用の制御回路等を用いる場合と比較して、その構成が簡易となる。すなわち、この専用の制御回路等を設ける場合には、電磁ソレノイド４０の高電位側の端子及びバッテリ３０間における２箇所の電圧値を検出し、その電圧降下の度合いに応じてフェールセーフ処理を行なうか否かを決定する回路を構成する必要があるため、制御回路の構成が制御回路５０と比較して複雑なものとなる。しかも、電磁ソレノイド４０の高電位側の端子及びバッテリ３０間の電圧を直接取り込む制御回路の場合、バッテリ３０と直接的に接続されることに起因して、バッテリ３０側からのサージノイズ対策をする必要も生じる。特に電源端子Ｔ１からバッテリ３０が外されたときには、瞬間的に大きな電圧（例えば「１００Ｖ」程度）が電源端子Ｔ１に印加されることがあるため、こうした大きな電圧に対する耐性を備える構成とすることも要求されることとなる。
【００６７】
以上詳述した本実施形態によれば、以下の効果が得られるようになる。
【００６８】
（１）電磁ソレノイド４０の高電位側の端子とバッテリ３０との間に流れる電流が所定以上となるとき、ハイサイドスイッチ３６を強制的にオフとするフェールセーフ処理を行なった。このため、電磁ソレノイド４０の高電位側の端子とバッテリ３０との間に流れる電流が過度に大きくなることによるハイサイドスイッチ３６等の破損を回避することができる。
【００６９】
（２）電磁ソレノイド４０の高電位側の端子とバッテリ３０との間にバイポーラトランジスタ８２のエミッタ及びベースを接続し、そのコレクタから出力される電流に基づき、電磁ソレノイド４０及びバッテリ３０間の過電流を検出するようにした。これにより、エミッタ及びベース間の電位差がバイポーラトランジスタ８２をオンとする電圧値となるまでは、コレクタを介して電流が出力されない（より正確には、コレクタを介して出力される電流は極わずかである）。このため、電磁ソレノイド４０及びバッテリ３０間に正常な電流が流れているときには、電磁ソレノイド４０及びバッテリ３０間に流れる電流を検出するために、同電流をノードａに供給することを極力回避することができる。
【００７０】
また、バイポーラトランジスタは、上記トランジスタをオンさせる閾値電圧を、ＭＯＳトランジスタ等と比較して大きな値としやすい。このため、電磁ソレノイド４０とバッテリ３０との間に正常な電流が流れているときには、トランジスタをオンさせず、正常時よりも大きな電流が流れているときにトランジスタをオンさせる設定が容易となる。
【００７１】
（３）バイポーラトランジスタ８２及び抵抗８０，８４を備え、バイポーラトランジスタ８２のコレクタから出力される電流によってノードａの電位を変化させる構成とした。これにより、電磁ソレノイド４０の低電位側の端子及びバッテリ３０等とのショート時にフェールセーフ処理を行なう制御回路５０により、電磁ソレノイド４０の高電位側の端子と接地とのショートに適切に対処することができる。
【００７２】
（４）ハイサイドスイッチ３６を、ＭＯＳトランジスタにより構成した。このため、バイポーラトランジスタを用いた場合等と比較して、ハイサイドスイッチ３６の入出力間の電圧降下を低く抑えることができる。このため、電磁ソレノイド４０に供給される電流の立ち上がり速度を大きくすることができ、電磁ソレノイド４０の駆動に際し、その応答性を高く維持することができる。
【００７３】
ただし、ハイサイドスイッチ３６としてＭＯＳトランジスタを用いた場合には、電磁ソレノイド４０の高電位側の端子と接地とがショートするときには、ハイサイドスイッチ３６を流れる電流量も、同スイッチをバイポーラトランジスタとした場合等と比較して大きくなる。このため、ショートが生じたときには、ハイサイドスイッチ３６が損傷しやすい。このため、上記構成は上記（１）〜（３）の作用効果を顕著に奏することができる構成ともなっている。
【００７４】
（その他の実施形態）
なお、上記実施形態は、以下のように変更して実施してもよい。
【００７５】
・電磁ソレノイド４０の高電位側の端子及びバッテリ３０間に入力端子及び導通制御端子の接続されるトランジスタとしては、バイポーラトランジスタに限らない。例えばＰチャネルＭＯＳトランジスタとしてもよい。ただし、この際、電磁ソレノイド４０の高電位側の端子及びバッテリ３０間に正常に電流が流れているときには、ソース及びゲート間の電圧降下が、ＰチャネルＭＯＳトランジスタをオンとする閾値よりも小さくなるような調整をすることが望ましい。
【００７６】
・ハイサイドスイッチとしては、ＰチャネルＭＯＳトランジスタに限らず、任意のスイッチング素子でよい。ただし、このハイサイドスイッチを電界効果トランジスタにて構成することで、その入力端子及び出力端子（ソース及びドレイン）間の電圧降下を低く抑えることが望ましい。
【００７７】
・電磁ソレノイド４０及びバッテリ３０間に過電流が流れるときにローサイドスイッチ４２を強制的にオフとする処理をしなくても、ハイサイドスイッチ２６を強制的にオフとする処理を行なうなら、この過電流を阻止することはできる。
【００７８】
・例えばバイポーラトランジスタ８２のソース及びドレイン間の電圧降下を調整することにより、電磁ソレノイド４０及びバッテリ３０間に所定以上の電流が流れるときにノードａの電位を過電圧ＢＶ以上とすることができるなら、抵抗８０や抵抗８４を備えなくてもよい。
【００７９】
・制御回路５０としては、入力端子ＴＣ１から入力される電圧が過電圧ＢＶ以上となるときにハイサイドスイッチ３６等を強制的にオフとするものに限らない。例えば入力端子から入力される電流が予め定められた閾値以上となるときにハイサイドスイッチ３６を強制的にオフとする処理を行なうものであってもよい。この場合であっても、電磁ソレノイド４０の高電位側の端子及びバッテリ３０間に入力端子及び導通制御端子の接続されるトランジスタの出力端子からの出力信号が制御回路の入力端子に取り込まれる構成は有効である。すなわち、電磁ソレノイド４０の高電位側の端子及びバッテリ３０間に所定以上の電流が流れるときに制御回路の入力端子に取り込まれる電流量が上記予め定められた閾値以上となるように調整することで、上記実施形態に準じたフェールセーフ制御を行なうことができる。
【００８０】
・電磁ソレノイド４０の高電位側の端子及びバッテリ３０間に流れる電流を検出する高電位側検出回路と、該高電位側検出回路により検出される電流が所定以上となるとき、ハイサイドスイッチ３６を強制的にオフとするフェールセーフ手段としては、上記実施形態やその変形例で例示した構成に限らない。例えば、バッテリ３０及び電磁ソレノイド４０の高電位側の端子（ハイサイド端子Ｔ２）間に流れる電流を検出する回路と、該回路によって検出される電流に基づきハイサイドスイッチ３６及びローサイドスイッチ４２を強制的にオフとする専用の制御回路とから構成してもよい。また、先の図２において、バイポーラトランジスタ８２のコレクタをハイサイドスイッチ３６のゲートに接続することで、これら高電位側検出回路とフェールセーフ手段とを構成してもよい。すなわち、この場合、バイポーラトランジスタが高電位側検出回路を構成するとともに、電磁ソレノイド４０の高電位側の端子及びバッテリ３０間に所定以上の電流が流れるときに、ハイサイドスイッチ３６を強制的にオフとするフェールセーフ手段をも構成している。
【００８１】
・車載電気負荷としては、高圧燃料ポンプの電磁ソレノイドに限らず、任意の電磁ソレノイド等の電磁負荷でよい。更に、電磁負荷に限らず、ピエゾアクチュエータ等、バッテリに対して電気的な負荷となるものであればよい。また、車載電気負荷に対して電力を供給する電源としては、バッテリに限らず、例えばバッテリの電圧を蓄える蓄電手段等でもよい。
【図面の簡単な説明】
【００８２】
【図１】本発明にかかる車載電気負荷の駆動装置の一実施形態について、エンジンシステムの全体構成を示す図。
【図２】同実施形態の駆動装置の回路構成を示す回路図。
【図３】同実施形態にかかる電磁ソレノイドの駆動態様を示すタイムチャート。
【図４】同駆動態様を示す回路図。
【図５】同実施形態において電磁ソレノイドの高電位側の端子と接地とがショートした場合のフェールセーフ処理の態様を示すタイムチャート。
【図６】従来の車載電気負荷の駆動装置の構成を示す回路図。
【符号の説明】
【００８３】
２２…駆動装置、３０…バッテリ、３６…ハイサイドスイッチ、４０…電磁ソレノイド、制御回路５０、８２…バイポーラトランジスタ。
【図１】
2006333278.tif 000003
【図２】
2006333278.tif 000004
【図３】
2006333278.tif 000005
【図４】
2006333278.tif 000006
【図５】
2006333278.tif 000007
【図６】
2006333278.tif 000008